(57)【要約】【課題】管路に対して、比較的に厚肉に形成された熱可塑性のポリエチレン樹脂からなる長尺の管状内装材を、多大な労力を要しないで容易に挿入することができる管路内への管状内装材の挿入工法を提供する。【解決手段】管路１内に挿入治具２の回転軸２１を挿入し貫通させて雄ねじ回転体２２を管路１外に位置させ、第１の管状内装材３’を挿入治具２の雄ねじ回転体２２に螺合させ、回転軸２１と共に雄ねじ回転体２２を回転させて第１の管状内装材３’を管路１内に挿入し、第１の管状内装材３’の後端部が雄ねじ回転体２２の雄ねじ２３領域内に位置している状態で、第２の管状内装材３”を雄ねじ回転体２２に螺合させ、両管状内装材３’，３”を雄ねじ回転体２２上で溶着３２して接続し、回転軸２１と共に雄ねじ回転体２２を回転させて第２の管状内装材３”の後端部が雄ねじ回転体２２の雄ねじ２３領域内に位置するまで挿入する工程を順次繰り返すものである。【選択図】　図１
2004025661.tif 000002
【特許請求の範囲】
【請求項１】
複数の接続手段により接続された回転軸の一端に雄ねじ回転体が設けられている挿入治具と、内周面に雌ねじが形成されたポリエチレン樹脂からなる複数の管状内装材とを有し、管路内に挿入治具の回転軸を挿入し貫通させて雄ねじ回転体を管路外に位置させ、第１の管状内装材を挿入治具の雄ねじ回転体に螺合させ、回転軸と共に雄ねじ回転体を回転させて第１の管状内装材を管路内に挿入し、第１の管状内装材の後端部が雄ねじ回転体の雄ねじ領域内に位置している状態で、第２の管状内装材を雄ねじ回転体に螺合させ、両管状内装材を雄ねじ回転体上で溶着して接続し、回転軸と共に雄ねじ回転体を回転させて第２の管状内装材の後端部が雄ねじ回転体の雄ねじ領域内に位置するまで挿入する工程を順次繰り返すことを特徴とする管路内への管状内装材の挿入工法。
【請求項２】
挿入治具における回転軸には、その軸端に回転駆動源が連結されることを特徴とする請求項１に記載された管路内への管状内装材の挿入工法。
【請求項３】
前記回転軸の複数の接続手段は、ユニバーサルジョイントにより接続されていることを特徴とする請求項１に記載された管路内への管状内装材の挿入工法。
【請求項４】
前記回転軸の複数の接続手段は、着脱可能な連結具により接続されていることを特徴とする請求項１に記載された管路内への管状内装材の挿入工法。
【発明の詳細な説明】
【０００１】
【発明の属する技術分野】
本発明は、ガス導管，通信管路，電力管路，上下水道管等の管路内への管状内装材の挿入工法に関し、詳しくは、老朽化した鋳鉄管，鋼管，コンクリート管等の既設管の更新に適用されるもので、特に、管路内面へ内装管を溶融成形する予備工程として、比較的に厚肉に形成された長尺の管状内装材を管路に対して容易に挿入することができる管路内への管状内装材の挿入工法に関するものである。
【０００２】
【従来の技術】
従来、この種の老朽化した既設管の更生修理に適用される管路のライニング工法の主なものとしては、気流によるライニング工法，ピグによるライニング工法及び樹脂プラグによるライニング工法等が知られているが、いずれも液体のライニング材として一般的にはエポキシ樹脂，ウレタン樹脂等が使用されるものであるから、ライニング層は比較的に強靱性の低いものである。
【０００３】
これに対して、固体のライニング材を管路にライニングする工法が特開昭５０−９４５２２号公報に開示されている。
この管路のライニング工法は、熱可塑性のチューブを索条体により引張って管路内部へ挿入するチューブ挿入工程と、このチューブが挿入された管路の両端を閉塞しチューブ内に加熱された圧搾空気を送入してチューブを管路内面に熱融着させるチューブ熱融着工程とを具備することにより、管路の内面をライニングするものである。
【０００４】
【発明が解決しようとする課題】
しかしながら、上記従来技術の管路のライニング工法におけるチューブ挿入工程においては、ライニング材であるチューブを索条体により引張って管路内部へ挿入するものであるから、埋設管への挿入時におけるチューブの湾曲変形を考慮すると、チューブは湾曲変形し易い薄肉のものが要求され、その結果として管路内面のライニング層も薄肉に形成され、ライニング層の強度の低下を招くという不都合があり、また、チューブを引張って管路内部へ挿入するにあたり、筒状のチューブと管路内面との摩擦が大きいばかりでなく、特に、埋設管への挿入時におけるチューブの湾曲変形部と管路内端部との摩擦が大きいため、多大な労力を要するという不都合があった。
【０００５】
本発明は、上記従来の技術における問題点を解決するもので、管路に対して、比較的に厚肉に形成された熱可塑性のポリエチレン樹脂からなる長尺の管状内装材を、多大な労力を要しないで容易に挿入することができる管路内への管状内装材の挿入工法を提供することを目的とするものである。
【０００６】
【課題を解決するための手段】
上記目的を達成するために、請求項１に係る発明は、複数の接続手段により接続された回転軸の一端に雄ねじ回転体が設けられている挿入治具と、内周面に雌ねじが形成されたポリエチレン樹脂からなる複数の管状内装材とを有し、管路内に挿入治具の回転軸を挿入し貫通させて雄ねじ回転体を管路外に位置させ、第１の管状内装材を挿入治具の雄ねじ回転体に螺合させ、回転軸と共に雄ねじ回転体を回転させて第１の管状内装材を管路内に挿入し、第１の管状内装材の後端部が雄ねじ回転体の雄ねじ領域内に位置している状態で、第２の管状内装材を雄ねじ回転体に螺合させ、両管状内装材を雄ねじ回転体上で溶着して接続し、回転軸と共に雄ねじ回転体を回転させて第２の管状内装材の後端部が雄ねじ回転体の雄ねじ領域内に位置するまで挿入する工程を順次繰り返すものである。
【０００７】
請求項１に係る発明によれば、第１の管状内装材の後端部と第２の管状内装材の前端部とを挿入治具の雄ねじ回転体上で溶着して接続するものであるから、挿入治具の雄ねじ回転体は管状内装材の接続治具としての役割を兼ねると共に、管状内装材の接続部は雄ねじ回転体の雄ねじを成形型として成形されるため、第１の管状内装材に形成されている雌ねじと第２の管状内装材に形成されている雌ねじとは連続ねじを構成し、回転軸と共に雄ねじ回転体を回転させることにより、第１の管状内装材と第２の管状内装材とを一体の管状内装材として管路内に挿入することができる。
【０００８】
また、第１の管状内装材と第２の管状内装材とを接続して管路内に挿入する工程を順次繰り返すものであるから、複数の短尺の管状内装材を順次接続して管路内に挿入する結果として、長尺の管状内装材を管路内に挿入することができるため、管状内装材を湾曲変形させることなく、比較的に厚肉に形成された熱可塑性のポリエチレン樹脂からなる長尺の管状内装材を、多大な労力を要しないで容易に挿入することができる。
【０００９】
さらに、挿入治具の回転軸を管路内に挿入し貫通させて雄ねじ回転体を管路外に位置させた状態で、管路内への管状内装材の挿入作業を行うものであるから、管状内装材の挿入作業の終了後における挿入治具を管状内装材に螺合したままの状態で、挿入治具を次工程の管路内面への管状内装材の溶融成形作業における管状内装材の加熱手段への押込手段として利用することができる。
【００１０】
請求項２に係る発明は、請求項１に記載された発明において、挿入治具における回転軸には、その軸端に回転駆動源が連結されるものである。
【００１１】
請求項２に係る発明によれば、挿入治具における回転軸の軸端に回転駆動源が連結されるから、複数の短尺の管状内装材を順次接続して管路内に挿入する結果として、管状内装材が長尺なものになったとしても、回転軸を回転駆動源により回動させることによって、長尺の管状内装材を多大な労力を要しないで管路内に容易に挿入することができる。
【００１２】
請求項３に係る発明は、請求項１に記載された発明において、回転軸の複数の接続手段は、ユニバーサルジョイントにより接続されているものである。
【００１３】
請求項３に係る発明によれば、回転軸の複数の接続手段は、ユニバーサルジョイントにより接続されているから、管状内装材を挿入する管路が長尺であり、この長尺の管路内に挿入治具の長尺の回転軸を挿入し貫通させるにあたっても、ユニバーサルジョイントによりコンパクトに屈曲されている複数の短尺の回転軸を、それぞれの屈曲部を伸長しながら挿入することによって、長尺の管路内に長尺の回転軸を容易に挿入することができる。
【００１４】
請求項４に係る発明は、請求項１に記載された発明において、回転軸の複数の接続手段は、着脱可能な連結具により接続されているものである。
【００１５】
請求項４に係る発明によれば、回転軸の複数の接続手段は、着脱可能な連結具により接続されているから、管状内装材を挿入する管路が長尺であり、この長尺の管路内に挿入治具の長尺の回転軸を挿入し貫通させるにあたっても、複数の短尺の回転軸をそれぞれの接続手段により接続しながら挿入することによって、長尺の管路内に長尺の回転軸を容易に挿入することができる。
【００１６】
【発明の実施の形態】
本発明は、老朽化した既設管の管路内面に熱可塑性のポリエチレン樹脂からなる管状内装管を溶融成形して既設管を更新するにあたり、管路内面に管状内装管を溶融成形する予備工程として管状内装材を管路内に挿入するもので、比較的に厚肉に形成された管状内装材を管路内に容易に挿入することができる管路内への管状内装材の挿入工法に関するものであり、更新される管路としてはガス導管，通信管路，電力管路，上下水道管等に適用される。
【００１７】
本発明の実施の形態について図１を参照して説明するにあたり、本発明の管路内への管状内装材の挿入工法には、図１に示された一実施例としての挿入治具２と、管状内装材３とが使用されるので、先ず、挿入治具２について説明する。
【００１８】
挿入治具２は、複数の接続手段としてのユニバーサルジョイント２４により接続されている回転軸２１と、回転軸２１の先端部に設けられた雄ねじ回転体２２と、回転軸２１の基端部に連結された回転駆動源としてのモータ２５とから構成されており、雄ねじ回転体２２は回転軸２１と同心状で外周面に雄ねじ２３が形成されている。なお、回転軸２１におけるユニバーサルジョイント２４により接続されている複数の接続手段としては、これが着脱可能な連結具により構成されていてもよく、また、雄ねじ回転体２２の先端部には、挿入治具２を次工程の管路１内面への管状内装材３の溶融成形作業における管状内装材３の加熱筒（図示を省略）への押込手段として利用するために、加熱筒の軸受に枢着される着脱可能なストッパ２８をもった支承軸２７が設けられている。
【００１９】
次に、管状内装材３について説明すると、管状内装材３は、熱可塑性のポリエチレン樹脂により構成された管状形態であって、内周面に雌ねじ３１が刻設され短尺に形成されて管路内への挿入にあたっては湾曲変形を必要としないので、比較的に厚肉に形成される管状内装材３に適用することが可能であり、熱可塑性のポリエチレン樹脂としては、塩化ビニル樹脂，ポリブテン樹脂，ポリアミド樹脂等であってもよい。
【００２０】
この熱可塑性のポリエチレン樹脂からなる管状内装材３を上述した挿入治具２により管路１内へ挿入する工法について説明すると、先ず、挿入治具２におけるユニバーサルジョイント２４によりコンパクトに屈曲されている複数の短尺の回転軸２１を、順次屈曲部を伸長しながら管路１内に挿入し貫通させて、雄ねじ回転体２２を管路１外に位置させ、第１の管状内装材３’を管路１外に位置している雄ねじ回転体２２に螺合し、回転軸２１と共に雄ねじ回転体２２を回転させながら第１の管状内装材３’を管路１内に挿入し、第１の管状内装材３’の後端部が雄ねじ回転体２２の雄ねじ２３領域内に位置している状態で、第２の管状内装材３”を回転させながら雄ねじ回転体２２に螺合し、第１の管状内装材３’の後端部と第２の管状内装材３”の前端部とを雄ねじ回転体２２上で図示しない例えば環状ヒータ等の加熱手段により溶着３２して接続した後、回転軸２１と共に雄ねじ回転体２２を回転させて第２の管状内装材３”の後端部が雄ねじ回転体２２の雄ねじ２３領域内に位置するまで、接続された第１の管状内装材３’と第２の管状内装材３”とを管路１内へ挿入した段階で一工程を終了する。
【００２１】
上述の第１の管状内装材３’と第２の管状内装材３”とを接続して管路１内へ挿入する工程を複数の管状内装材３に適用して順次繰り返すことにより、複数の短尺の管状内装材３を順次接続して長尺の管状内装材３を管路１内に挿入することができるため、管状内装材３を湾曲変形させることなく、比較的に厚肉に形成された熱可塑性のポリエチレン樹脂からなる長尺の管状内装材３を、多大な労力を要しないで容易に挿入することができる。
【００２２】
【発明の効果】
本発明は上記のように構成されており、第１の管状内装材の後端部と第２の管状内装材の前端部とを挿入治具の雄ねじ回転体上で溶着して接続するものであるから、挿入治具の雄ねじ回転体は管状内装材の接続治具としての役割を兼ねると共に、管状内装材の接続部は雄ねじ回転体の雄ねじを成形型として成形されるため、第１の管状内装材に形成されている雌ねじと第２の管状内装材に形成されている雌ねじとは連続ねじを構成し、回転軸と共に雄ねじ回転体を回転させることにより、第１の管状内装材と第２の管状内装材とを一体の管状内装材として管路内に挿入することができる。
【００２３】
また、第１の管状内装材と第２の管状内装材とを接続して管路内に挿入する工程を順次繰り返すものであるから、複数の短尺の管状内装材を順次接続して管路内に挿入する結果として、長尺の管状内装材を管路内に挿入することができるため、管状内装材を湾曲変形させることなく、比較的に厚肉に形成された熱可塑性のポリエチレン樹脂からなる長尺の管状内装材を、多大な労力を要しないで容易に挿入することができる。
【００２４】
さらに、挿入治具の回転軸を管路内に挿入し貫通させて雄ねじ回転体を管路外に位置させた状態で、管路内への管状内装材の挿入作業を行うものであるから、管状内装材の挿入作業の終了後における挿入治具を管状内装材に螺合したままの状態で、挿入治具を次工程の管路内面への管状内装材の溶融成形作業における管状内装材の加熱手段への押込手段として利用することができる。
【図面の簡単な説明】
【図１】本発明の管路内への管状内装材の挿入工法により、挿入治具で管路内へ管状内装材を挿入している、一部を縦断した部分側面図である。
【符号の説明】
１　・・・管路
２　・・・挿入治具
２１・・・回転軸
２２・・・雄ねじ回転体
２３・・・雄ねじ
２４・・・接続手段としてのユニバーサルジョイント
２５・・・回転駆動源としてのモータ
３　・・・管状内装材
３’・・・第１の管状内装材
３”・・・第２の管状内装材
３１・・・雌ねじ
３２・・・溶着
【図１】
2004025661.tif 000003